【手続補正書】
【提出日】平成28年9月15日(2016.9.15)
【手続補正１】
【補正対象書類名】明細書
【補正対象項目名】００６６
【補正方法】変更
【補正の内容】
【００６６】
【表５】
2015534708.tif 000001
2015534708.tif 000002
本発明の実施形態として、例えば以下を挙げることができる。
(1)  第1及び第2の電極を含む再充電可能電池であって、その充電状態において、電池は、第1の電極に接している酸化還元活性種及び第2の電極に接している水溶液中に溶解又は懸濁されたヒドロキノンを含み、放電中において、酸化還元活性種が還元され、ヒドロキノンがキノンに酸化される、再充電可能電池。
(2)  酸化還元活性種が水溶液中に溶解又は懸濁されている、(1)に記載の再充電可能電池。
(3)  第1の電極に接している酸化還元活性種が塩素、臭素、ヨウ素、酸素、バナジウム、クロム、コバルト、鉄、マンガン、コバルト、ニッケル、銅又は鉛を含む、(1)に記載の再充電可能電池。
(4)  第1の電極に接している酸化還元活性種が臭素を含む、(1)に記載の再充電可能電池。
(5)  第1の電極に接している酸化還元活性種が酸化マンガン、酸化コバルト又は酸化鉛を含む、(3)に記載の再充電可能電池。
(6)  第2の電極に接しているヒドロキノン及びキノンが標準水素電極に対して0.4ボルト未満の標準電気化学電位を有する、(1)〜(5)のいずれかに記載の再充電可能電池。
(7)  キノンが水溶性アントラキノンである、(6)に記載の再充電可能電池。
(8)  水溶性アントラキノンが1又は複数のスルホネート基を含む、(7)に記載の再充電可能電池。
(9)  アントラキノンが9,10-アントラキノン-2,7-ジスルホネートである、(8)に記載の再充電可能電池。
(10)  第1及び第2の電極がイオン伝導障壁によって分離され、酸化還元活性種が臭素を含む、(6)〜(9)のいずれかに記載の再充電可能電池。
(11)  酸化還元活性種が水溶液中に溶解又は懸濁された第2のキノンである、(1)に記載の再充電可能電池。
(12)  第1の電極が酸化還元活性種とヒドロキノンの移動を防止する障壁によって第2の電極から分離されている、(11)に記載の再充電可能電池。
(13)  障壁がサイズ排除障壁である、(12)に記載の再充電可能電池。
(14)  イオン伝導性炭化水素障壁又はサイズ排除障壁によって分離された第1及び第2の電極を含む再充電可能電池であって、その充電状態において、電池は第1の電極においてキノンを含み、第2の電極においてヒドロキノンを含み、放電中、キノンは還元され、ヒドロキノンは酸化される、再充電可能電池。
(15)  キノン又は酸化形態のヒドロキノンが式（A）〜（D）：
【化８】
2015534708.tif 000003
［式中、各R1〜R10は、H、任意に置換されているC1-6アルキル、ハロ、ヒドロキシ、任意に置換されているC1-6アルコキシ、SO3H、アミノ、ニトロ、カルボキシル、ホスホリル、ホスホニル、及びオキソ、又はそれらのイオンから独立して選択され（ただし、式(A)においてR1〜R6のうち2つはオキソであり、式(B)においてR1〜R8のうち2又は4つはオキソであり、式(C)及び(D)においてR1〜R10のうち2、4又は6つはオキソである）、破線は式(A)の単環、式(B)の二環、並びに式(C)及び(D)の三環が完全共役であることを示す］
のものである、(1)〜(5)及び(11)〜(14)のいずれかに記載の再充電可能電池。
(16)  キノン又は酸化形態のヒドロキノンが式（I）〜（IX）：
【化９】
2015534708.tif 000004
（式中、各R1〜R8は、H、任意に置換されているC1-6アルキル、ハロ、ヒドロキシ、任意に置換されているC1-6アルコキシ、SO3H、アミノ、ニトロ、カルボキシル、ホスホリル、ホスホニル、及びオキソ、又はそれらのイオンから独立して選択される）
のものである、(1)〜(5)及び(11)〜(14)のいずれかに記載の再充電可能電池。
(17)  キノン又は酸化形態のヒドロキノンが：
9,10-アントラキノン-2,7-ジスルホン酸、
9,10-アントラキノン-2,6-ジスルホン酸、
9,10-アントラキノン-1,8-ジスルホン酸、
9,10-アントラキノン-1,5-ジスルホン酸、
9,10-アントラキノン-2-スルホン酸、
9,10-アントラキノン-2,3-ジメタンスルホン酸、
1,8-ジヒドロキシ-9,10-アントラキノン-2,7-ジスルホン酸、
1,5-ジヒドロキシ-9,10-アントラキノン-2,6-ジスルホン酸、
1,4-ジヒドロキシ-9,10-アントラキノン-2-スルホン酸、
1,3,4-トリヒドロキシ-9,10-アントラキノン-2-スルホン酸、
1,2-ナフトキノン-4-スルホン酸、
1,4-ナフトキノン-2-スルホン酸、
2-クロロ-1,4-ナフトキノン-3-スルホン酸、
2-ブロモ-1,4-ナフトキノン-3-スルホン酸、又はそれらの混合物
である、(1)〜(5)及び(11)〜(14)のいずれかに記載の再充電可能電池。
(18)  キノン又は酸化形態のヒドロキノンが：
9,10-アントラキノン-2,7-ジスルホン酸、
9,10-アントラキノン-2,6-ジスルホン酸、
9,10-アントラキノン-1,8-ジスルホン酸、
9,10-アントラキノン-1,5-ジスルホン酸、
9,10-アントラキノン-2-スルホン酸、又はそれらの混合物
である、(17)に記載の再充電可能電池。
(19)  キノン又は酸化形態のヒドロキノンが：
2-ヒドロキシ-1,4-ナフトキノン-3-スルホン酸、
1,2,4-トリヒドロキシベンゼン-3-スルホン酸、
2,4,5-トリヒドロキシベンゼン-1,3-ジスルホン酸、
2,3,5-トリヒドロキシベンゼン-1,4-ジスルホン酸、
2,4,5,6-テトラヒドロキシベンゼン-1,3-ジスルホン酸、
2,3,5-トリヒドロキシベンゼン-1,4-ジスルホン酸、
2,3,5,6-テトラヒドロキシベンゼン-1,4-ジスルホン酸、又はそれらの混合物
である、(1)〜(5)及び(11)〜(14)のいずれかに記載の再充電可能電池。
(20)  水溶液中に溶解又は懸濁させたキノン及び/又はヒドロキノンのためのリザーバ並びにキノン及び/又はヒドロキノンを循環する機構を更に含む、(1)〜(19)のいずれかに記載の再充電可能電池。
【手続補正２】
【補正対象書類名】特許請求の範囲
【補正対象項目名】全文
【補正方法】変更
【補正の内容】
【特許請求の範囲】
【請求項１】
第1及び第2の電極を含む再充電可能電池であって、その充電状態において、電池は、第1の電極に接している酸化還元活性種及び第2の電極に接している水溶液中に溶解又は懸濁されたヒドロキノンを含み、放電中において、酸化還元活性種が還元され、ヒドロキノンがキノンに酸化される、再充電可能電池。
【請求項２】
酸化還元活性種が水溶液中に溶解又は懸濁されている、請求項１に記載の再充電可能電池。
【請求項３】
第1の電極に接している酸化還元活性種が塩素、臭素、ヨウ素、酸素、バナジウム、クロム、コバルト、鉄、マンガン、コバルト、ニッケル、銅又は鉛を含む、請求項１に記載の再充電可能電池。
【請求項４】
第1の電極に接している酸化還元活性種が臭素を含む、請求項１に記載の再充電可能電池。
【請求項５】
第1の電極に接している酸化還元活性種が酸化マンガン、酸化コバルト又は酸化鉛を含む、請求項３に記載の再充電可能電池。
【請求項６】
第2の電極に接しているヒドロキノン及びキノンが標準水素電極に対して0.4ボルト未満の標準電気化学電位を有する、請求項１〜５のいずれか一項に記載の再充電可能電池。
【請求項７】
キノンが水溶性アントラキノンである、請求項６に記載の再充電可能電池。
【請求項８】
水溶性アントラキノンが1又は複数のスルホネート基を含む、請求項７に記載の再充電可能電池。
【請求項９】
アントラキノンが9,10-アントラキノン-2,7-ジスルホネートである、請求項８に記載の再充電可能電池。
【請求項１０】
第1及び第2の電極がイオン伝導障壁によって分離され、酸化還元活性種が臭素を含む、請求項６〜９のいずれか一項に記載の再充電可能電池。
【請求項１１】
酸化還元活性種が水溶液中に溶解又は懸濁された第2のキノンである、請求項１に記載の再充電可能電池。
【請求項１２】
第1の電極が酸化還元活性種とヒドロキノンの移動を防止する障壁によって第2の電極から分離されている、請求項１１に記載の再充電可能電池。
【請求項１３】
障壁がサイズ排除障壁である、請求項１２に記載の再充電可能電池。
【請求項１４】
イオン伝導性炭化水素障壁又はサイズ排除障壁によって分離された第1及び第2の電極を含む再充電可能電池であって、その充電状態において、電池は第1の電極においてキノンを含み、第2の電極においてヒドロキノンを含み、放電中、キノンは還元され、ヒドロキノンは酸化される、再充電可能電池。
【請求項１５】
キノン又は酸化形態のヒドロキノンが式（A）〜（D）：
【化１】
2015534708.tif 000005
［式中、各R1〜R10は、H、任意に置換されているC1-6アルキル、ハロ、ヒドロキシ、任意に置換されているC1-6アルコキシ、SO3H、アミノ、ニトロ、カルボキシル、ホスホリル、ホスホニル、及びオキソ、又はそれらのイオンから独立して選択され（ただし、式(A)においてR1〜R6のうち2つはオキソであり、式(B)においてR1〜R8のうち2又は4つはオキソであり、式(C)及び(D)においてR1〜R10のうち2、4又は6つはオキソである）、破線は式(A)の単環、式(B)の二環、並びに式(C)及び(D)の三環が完全共役であることを示す］
のものである、請求項１〜５及び１１〜１４のいずれか一項に記載の再充電可能電池。
【請求項１６】
キノン又は酸化形態のヒドロキノンが式（I）〜（IX）：
【化２】
2015534708.tif 000006
（式中、各R1〜R8は、H、任意に置換されているC1-6アルキル、ハロ、ヒドロキシ、任意に置換されているC1-6アルコキシ、SO3H、アミノ、ニトロ、カルボキシル、ホスホリル、ホスホニル、及びオキソ、又はそれらのイオンから独立して選択される）
のものである、請求項１〜５及び１１〜１４のいずれか一項に記載の再充電可能電池。
【請求項１７】
キノン又は酸化形態のヒドロキノンが：
9,10-アントラキノン-2,7-ジスルホン酸、
9,10-アントラキノン-2,6-ジスルホン酸、
9,10-アントラキノン-1,8-ジスルホン酸、
9,10-アントラキノン-1,5-ジスルホン酸、
9,10-アントラキノン-2-スルホン酸、
9,10-アントラキノン-2,3-ジメタンスルホン酸、
1,8-ジヒドロキシ-9,10-アントラキノン-2,7-ジスルホン酸、
1,5-ジヒドロキシ-9,10-アントラキノン-2,6-ジスルホン酸、
1,4-ジヒドロキシ-9,10-アントラキノン-2-スルホン酸、
1,3,4-トリヒドロキシ-9,10-アントラキノン-2-スルホン酸、
1,2-ナフトキノン-4-スルホン酸、
1,4-ナフトキノン-2-スルホン酸、
2-クロロ-1,4-ナフトキノン-3-スルホン酸、
2-ブロモ-1,4-ナフトキノン-3-スルホン酸、又はそれらの混合物
である、請求項１〜５及び１１〜１４のいずれか一項に記載の再充電可能電池。
【請求項１８】
キノン又は酸化形態のヒドロキノンが：
9,10-アントラキノン-2,7-ジスルホン酸、
9,10-アントラキノン-2,6-ジスルホン酸、
9,10-アントラキノン-1,8-ジスルホン酸、
9,10-アントラキノン-1,5-ジスルホン酸、
9,10-アントラキノン-2-スルホン酸、又はそれらの混合物
である、請求項１７に記載の再充電可能電池。
【請求項１９】
キノン又はヒドロキノンが：
2-ヒドロキシ-1,4-ナフトキノン-3-スルホン酸、
1,2,4-トリヒドロキシベンゼン-3-スルホン酸、
2,4,5-トリヒドロキシベンゼン-1,3-ジスルホン酸、
2,3,5-トリヒドロキシベンゼン-1,4-ジスルホン酸、
2,4,5,6-テトラヒドロキシベンゼン-1,3-ジスルホン酸、
2,3,5,6-テトラヒドロキシベンゼン-1,4-ジスルホン酸、又はそれらの混合物
である、請求項１〜５及び１１〜１４のいずれか一項に記載の再充電可能電池。
【請求項２０】
水溶液中に溶解又は懸濁させたキノン及び/又はヒドロキノンのためのリザーバ並びにキノン及び/又はヒドロキノンを循環する機構を更に含む、請求項１〜１９のいずれか一項に記載の再充電可能電池。